(57)【特許請求の範囲】
【請求項１】
弾力性のある閉鎖膜に、通常は閉じていて処置具を通すことによって押し開かれるスリットが形成されて、内視鏡の鉗子挿入口に取り付けられた内視鏡の鉗子栓において、
上記スリットの両端部を、上記処置具によって押し開かれたときに丸みのある形状になるように形成したことを特徴とする内視鏡の鉗子栓。
【請求項２】
弾力性のある閉鎖膜に、通常閉じていて処置具を通すことによって押し開かれるスリットが形成されて、内視鏡の鉗子挿入口に取り付けられる内視鏡の鉗子栓の製造方法において、
刃部を正面から見たときの外縁の形状が方形であって四隅が丸く面取りされた薄い刃物を上記閉鎖膜に押しつけることにより、上記スリットを形成したことを特徴とする内視鏡の鉗子栓の製造方法。
【発明の詳細な説明】
【０００１】
【発明の属する技術分野】
この発明は、通常は閉じていて処置具を通すことによって押し開かれる内視鏡の鉗子栓及びその製造方法に関する。
【０００２】
【従来の技術】
内視鏡の鉗子栓は、一般に、弾力性のあるゴム材等からなる閉鎖膜に、通常は閉じていて処置具を通すことによって押し開かれる「−」状のスリットが形成されて、内視鏡の鉗子挿入口に取り付けられている。
【０００３】
そのような鉗子栓のスリットは、閉鎖膜に剃刀の刃状の刃物を押し当てて、閉鎖膜を押し切るようにして形成されている。
【０００４】
【発明が解決しようとする課題】
図７に示されるように、閉鎖膜９１にスリット９２を形成するための刃物９３は一直線状の鋭い刃を有しており、刃部を正面から見たときの外縁の形状は、図８に示されるように長方形である。
【０００５】
したがって、そのような刃物９３で押し切り形成されたスリット９２は、処置具１００が通されて押し開かれたとき、例えば図９に示されるように、両端部に丸みがないので角部から亀裂９９が入り易く、そこから漏れが発生して栓としての機能が低下していた。
【０００６】
そこで本発明は、処置具挿入によるスリット端部への亀裂が入り難くて、耐久性の高い内視鏡の鉗子栓及びその製造方法を提供することを目的とする。
【０００７】
【課題を解決するための手段】
上記の目的を達成するため、本発明の内視鏡の鉗子栓は、弾力性のある閉鎖膜に、通常は閉じていて処置具を通すことによって押し開かれるスリットが形成されて、内視鏡の鉗子挿入口に取り付けられた内視鏡の鉗子栓において、上記スリットの両端部を、上記処置具によって押し開かれたときに丸みのある形状になるように形成したことを特徴とする。
【０００８】
また本発明の内視鏡の鉗子栓の製造方法は、弾力性のある閉鎖膜に、通常閉じていて処置具を通すことによって押し開かれるスリットが形成されて、内視鏡の鉗子挿入口に取り付けられる内視鏡の鉗子栓の製造方法において、刃部を正面から見たときの外縁の形状が方形であって四隅が丸く面取りされた薄い刃物を上記閉鎖膜に押しつけることにより、上記スリットを形成したことを特徴とする。
【０００９】
【発明の実施の形態】
図面を参照して本発明の実施の形態を説明する。
図２は内視鏡を示しており、１は操作部、２は可撓性のある挿入部、３は接眼部である。
【００１０】
挿入部２内には、その先端に開口する鉗子チャンネル４が挿通されている。その鉗子チャンネル４の基端部側は、操作部１下端部の挿入部２との連結部分において、斜め上方に向けて開口している。そして、その開口部分に鉗子栓１０が取り付けられている。
【００１１】
また、鉗子チャンネル４の基端部付近に分岐接続された吸引管５が、吸引操作弁６を介して外部の吸引ポンプ（図示せず）に接続されていて、吸引操作弁６を押し込み操作すると、吸引管５及び鉗子チャンネル４を介して挿入部２の先端開口側から吸引が行われる。
【００１２】
図１は、鉗子栓１０とその取り付け部の断面図である。７は、鉗子チャンネル４の入口側開口に連通接続された口金であり、いわゆるルアロック式の雌口金状に形成されていて、押さえナット８により操作部１に固定されている。７ａは鉗子挿入口金７の開口部、即ち鉗子挿入口である。
【００１３】
鉗子栓１０は、弾力性のあるゴム材によって、筒状部１１と連結帯部１２と環状部１３とを一体に形成して構成されている。ゴム材として耐熱性の高いシリコンゴム又はフッ素ゴム等を用いることにより、オートクレーブによる滅菌が可能であり、清潔な状態でくり返し使用することができる。
【００１４】
環状部１３は、鉗子挿入口金７の外壁の根部に形成された溝部７ｃに嵌め込まれており、筒状部１１を鉗子挿入口金７から取り外した時に連結帯部１２を介して筒状部１１が支えられるようになっている。
【００１５】
筒状部１１は、鉗子挿入口金７に取着されると、底部が環状部１３の上面に密着して、さらに押圧された状態で弾力的に変形し、内周面は鉗子挿入口金７の外周壁を締め付ける。
【００１６】
即ち、鉗子挿入口金７への取着状態においては、筒状部１１が弾性変形をして、環状部１３の上面と鉗子挿入口金７の外面を押圧して固定される。したがって、鉗子栓１０は非常に安定した状態で鉗子挿入口金７に取着されると共に、その間のシール効果が高く、取り付け部から液漏れ等が生じない。
【００１７】
筒状部１１の上半部には、上方に向かって開口する筒状の開口部１４が形成されている。この開口部１４は、鉗子挿入口７ａに向かって形成されており、開口部１４と鉗子挿入口７ａとの間は、鉗子挿入口７ａ側へ凸となる湾曲形状に形成された閉鎖膜１５によって仕切られている。
【００１８】
閉鎖膜１５の中央には、径方向に１本の真直ぐな「−」状のスリット１６が穿設されており、通常は閉じていて鉗子チャンネル４内からの流体の漏れを阻止している。
【００１９】
そして、図４に示されるように、開口部１４から鉗子等の処置具１００を挿入すれば、スリット１６が押し開かれて、処置具１００が鉗子挿入口７ａから鉗子チャンネル４内へ導かれる。
【００２０】
開口部１４の口元近傍の内周面には、環状の突起１７が内方に突出形成されている。この突起１７の内径は、一般の注射筒の先端の外径よりわずかに細く形成されているので、注射筒の先端を密接させて差し込むことができる。
【００２１】
スリット１６は、図５に示されるように、一直線状の真っ直ぐな薄い刃を有する刃物３０を閉鎖膜１５に押しつけ、閉鎖膜１５に切れ目を形成することによって形成される。
【００２２】
その刃物３０は、図６に示されるように、刃部を正面から見たときの外縁の形状が薄い長方形であって四隅が丸く面取り（Ｒ面取り）された形状に形成されている。この実施の形態においては、Ｒ面取りの半径が刃物３０の厚さのほぼ半分になっている。
【００２３】
したがってスリット１６は、通常は従来と変わらない一直線状に見えるが、処置具１００が通されて押し広げられたときは、図１に示されるように、スリット１６の両端部が丸みのある形状になる。
【００２４】
その結果、スリット１６の端部には、切り裂き力が一点に集中しないので、処置具１００が何度も通されて押し引き操作されても簡単には亀裂が入らず、漏れが発生しない。
【００２５】
なお本発明は上記実施の形態に限定されるものではなく、例えばスリット１６は必ずしも一直線状でなくてもよい。
【００２６】
【発明の効果】
本発明によれば、弾力性のある閉鎖膜に形成されたスリットの両端部を、処置具によって押し開かれたときに丸みのある形状になるように形成したので、処置具が通されたときにスリット端部への亀裂が入り難くて、耐久性が非常に高く、ユーザーの経済的負担も大幅に軽減される。
【図面の簡単な説明】
【図１】本発明の実施の形態の鉗子栓のスリットに処置具が通された状態の部分斜視図である。
【図２】本発明の実施の形態の内視鏡の略示図である。
【図３】本発明の実施の形態の鉗子栓とその取り付け部の断面図である。
【図４】本発明の実施の形態の鉗子栓とその取り付け部の処置具挿入状態の断面図である。
【図５】本発明の実施の形態のスリットを加工形成する状態の斜視図である。
【図６】本発明の実施の形態のスリットを加工形成する刃物を刃部側から見た状態の正面図である。
【図７】従来の鉗子栓スリットを加工形成する状態の斜視図である。
【図８】従来の鉗子栓のスリットを加工形成する刃物を刃部から見た状態の正面図である。
【図９】従来の鉗子栓のスリットに処置具が通された状態の部分斜視図である。
【符号の説明】
１０  鉗子栓
１５  閉鎖膜
１６  スリット
３０  刃物
１００  処置具
【図１】
0003563845.tif 000002
【図２】
0003563845.tif 000003
【図３】
0003563845.tif 000004
【図４】
0003563845.tif 000005
【図５】
0003563845.tif 000006
【図６】
0003563845.tif 000007
【図７】
0003563845.tif 000008
【図８】
0003563845.tif 000009
【図９】
0003563845.tif 000010